(57)【特許請求の範囲】
【請求項１】
水に水素を溶解させる水素溶解装置と、
前記水素溶解装置に接続され、前記水素が溶解した前記水に対して逆浸透膜処理を行う逆浸透膜処理装置と、
前記逆浸透膜処理装置に接続され、前記逆浸透膜処理装置により処理された逆浸透水と透析原液とを混合した透析液を調製する透析液調製装置と、
前記透析液調製装置に接続されるとともに、前記透析液調製装置より前記透析液が供給される透析装置と、
前記透析装置に設けられ、前記透析液の脱気処理を行う脱気装置と、
前記透析装置に設けられ、前記脱気処理後の前記透析液の溶存水素濃度を検知するセンサーと、
前記センサー及び前記脱気装置に接続され、前記センサーにより検知された前記溶存水素濃度に基づいて、前記脱気処理を行う際の脱気圧を制御する制御装置と
を備え、
前記透析装置は、
血液浄化装置と、
前記透析液調製装置及び前記血液浄化装置に接続され、前記透析液調製装置において調製された前記透析液を前記血液浄化装置に導入するための透析液導入路と
を備え、
前記脱気装置は、前記透析液導入路に設けられ、
前記センサーは、前記透析液導入路において、前記脱気装置と前記血液浄化装置との間に設けられていることを特徴とする透析液の製造装置。
【請求項２】
前記脱気装置は、
前記透析液中の溶存ガスを分離する膜モジュールと、
前記膜モジュールに接続され、モータを有するポンプと
を備え、
前記制御装置は、
前記センサーに接続され、前記脱気処理を行う際の脱気圧を決定する脱気圧決定手段と、
前記脱気圧決定手段及び前記ポンプに接続され、前記モータの回転数を制御する回転数制御手段と、
前記脱気圧決定手段に接続され、溶存水素濃度の目標値のデータを記憶する記憶手段と
を備え、
前記脱気圧決定手段は、前記センサーにより検知された前記溶存水素濃度の値と前記記憶手段に記憶された溶存水素濃度の目標値とを比較し、該比較の結果に基づいて、前記脱気圧を決定し、
前記回転数制御手段は、前記脱気圧決定手段により決定された脱気圧に基づいて、前記モータの回転数を制御することを特徴とする請求項１に記載の透析液の製造装置。
【請求項３】
前記脱気圧決定手段は、前記センサーにより検知された溶存水素濃度の値が前記記憶手段に記憶された溶存水素濃度の目標値よりも小さい場合に、前記透析液の溶存水素濃度が前記目標値となるように、前記脱気処理を行う際の脱気圧を決定することを特徴とする請求項２に記載の透析液の製造装置。
【請求項４】
水に水素を溶解させる水素溶解装置と、
前記水素溶解装置に接続され、前記水素が溶解した前記水に対して逆浸透膜処理を行う逆浸透膜処理装置と、
前記逆浸透膜処理装置に接続され、前記逆浸透膜処理装置により処理された逆浸透水と透析原液とを混合した透析液を調製する透析液調製装置と、
前記透析液調製装置に接続されるとともに、前記透析液調製装置より前記透析液が供給される透析装置と、
前記透析装置に設けられ、前記透析液の脱気処理を行う脱気装置と、
前記透析装置に設けられ、前記脱気処理後の前記透析液の溶存水素濃度を検知するセンサーと、
前記センサー及び前記脱気装置に接続され、前記センサーにより検知された前記溶存水素濃度に基づいて、前記脱気処理を行う際の脱気圧を制御する制御装置と
を備え、
前記透析装置は、
血液浄化装置と、
前記透析液調製装置及び前記血液浄化装置に接続され、前記透析液調製装置において調製された前記透析液を前記血液浄化装置に導入するための透析液導入路と
前記血液浄化装置に接続され、該血液浄化装置に導入された前記透析液を排出するための透析液排出路と
を備え、
前記脱気装置は、前記透析液導入路に設けられ、
前記センサーは、前記透析液排出路に設けられていることを特徴とする透析液の製造装置。
【請求項５】
水に水素を溶解させる水素溶解装置と、
前記水素溶解装置に接続され、前記水素が溶解した前記水に対して逆浸透膜処理を行う逆浸透膜処理装置と、
前記逆浸透膜処理装置に接続され、前記逆浸透膜処理装置により処理された逆浸透水と透析原液とを混合した透析液を調製する透析液調製装置と、
前記透析液調製装置に接続されるとともに、前記透析液調製装置より前記透析液が供給される透析装置と、
前記透析装置に設けられ、前記透析液の脱気処理を行う脱気装置と、
前記透析装置に設けられ、前記脱気処理後の前記透析液の溶存水素濃度を検知するセンサーと、
前記センサー及び前記脱気装置に接続され、前記センサーにより検知された前記溶存水素濃度に基づいて、前記脱気処理を行う際の脱気圧を制御する制御装置と
を備え、
前記透析装置は、
前記透析液調製装置及び前記センサーに接続され、前記透析液調製装置において調製された前記透析液を前記センサーに導入する透析液導入路
を備え、
前記脱気装置は、前記透析液導入路に設けられていることを特徴とする透析液の製造装置。
【請求項６】
水に水素を溶解させる水素溶解装置と、
前記水素溶解装置に接続され、前記水素が溶解した前記水に対して逆浸透膜処理を行う逆浸透膜処理装置と、
前記逆浸透膜処理装置に接続され、前記逆浸透膜処理装置により処理された逆浸透水と透析原液とを混合した透析液を調製する透析液調製装置と、
前記透析液調製装置に接続されるとともに、前記透析液調製装置より前記透析液が供給される透析装置と、
前記透析装置に設けられ、前記透析液の脱気処理を行う脱気装置と、
前記透析装置に設けられ、前記脱気処理後の前記透析液の溶存水素濃度を検知するセンサーと、
前記センサー及び前記脱気装置に接続され、前記センサーにより検知された前記溶存水素濃度に基づいて、前記脱気処理を行う際の脱気圧を制御する制御装置と
を備え、
前記透析装置は、
血液浄化装置と、
前記透析液調製装置及び前記血液浄化装置に接続され、前記透析液調製装置において調製された前記透析液を前記血液浄化装置に導入するための透析液導入路と、
前記透析液導入路から分岐して設けられた透析液分岐路と
を備え、
前記脱気装置は、前記透析液導入路に設けられ、
前記センサーは、前記透析液分岐路に設けられていることを特徴とする透析液の製造装置。
【請求項７】
前記水素溶解装置が、固体高分子膜を用いて前記水の電気分解処理を行う電解水生成装置であることを特徴とする請求項１〜請求項６のいずれか１項に記載の透析液の製造装置。
【請求項８】
前記水素溶解装置が、前記水に水素ガスを接触させ、該水素ガスを加圧することにより、前記水に前記水素を溶解させる水素ガス加圧装置であることを特徴とする請求項１〜請求項６のいずれか１項に記載の透析液の製造装置。
【発明の詳細な説明】
【技術分野】
【０００１】
本発明は、透析液の製造装置に関する。
【背景技術】
【０００２】
腎機能が低下し、水分量の調節と尿素などの老廃物を含む体内有害物質の除去を行うための尿の排泄ができない腎不全患者のための有効な治療法の一つに、血液透析が知られている。
【０００３】
この血液透析は、血液ポンプを用いて血液を体外に引き出し、透析器（ダイアライザー）を介して透析液と血液とを接触させることにより、濃度勾配による拡散現象を利用して、血液から体内有害物質および水分を除去した後、再び、血液を体内に戻す（返血）操作を連続して行う治療法である。
【０００４】
また、近年、血液透析において透析患者に酸化ストレスが発生することが知られている。これは、透析時に発生する活性酸素が原因であると考えられており、この活性酸素を消去して酸化ストレスの軽減を図ることが提案されている。
【０００５】
例えば、逆浸透膜（ＲＯ膜）で処理され、純化した水（以下、「逆浸透水」という。）に水素を溶存させることにより、高濃度の水素が溶存する透析液を製造する方法が提案されている。そして、この透析液を使用することにより、水素を生体内のヒドロキシラジカルと反応させ、酸化ストレスや炎症反応を抑制することができる。
【０００６】
また、従来、上記逆浸透膜による処理を行う前に、原水に対して、電気分解処理を行うことにより、透析液調製用水として使用される水素が溶存した水（溶存水素水）を生成することが行われている（例えば、特許文献１参照）。
【０００７】
図１０は、従来の透析液調製用水の製造装置を示す図である。この透析液調製用水の製造装置１０１では、まず、原水（市水）１０２を加圧ポンプ１０３により加圧し、１０〜３０μｍの孔径のフィルター１０４により、原水１０２中の固形物を処理する。
【０００８】
次いで、軟水化装置１０５により、原水１０２の硬度を下げた後、活性炭処理装置１０６により、原水１０２に含まれる次亜塩素酸を除去する。そして、電解水生成装置１０７により、電気分解により得られた還元水（処理水）を還元水タンク１０８に貯水する。
【０００９】
次いで、還元水タンク１０８に貯水された還元水を、加圧ポンプ１０９により加圧した後、この還元水を、逆浸透膜処理装置１１０内の逆浸透膜に通過させ、逆浸透膜を通過した還元水をＲＯタンク１１１に貯水する。
【００１０】
次いで、ＲＯタンク１１１から送水された還元水に対して、ＵＶ殺菌灯１１２により殺菌処理を行い、殺菌処理が行われた還元水を、マイクロフィルター１１３を通じて、透析液調製装置１１４に供給する。
【００１１】
そして、透析液調製装置１１４においては、供給された還元水（即ち、逆浸透膜処理が施された還元水）と透析原液を混合して透析液を作製する。そして、この透析液が透析装置（図示せず）へ供給され、透析装置に取り付けられているダイアライザーを通して、患者の血液の浄化が行われる。
【先行技術文献】
【特許文献】
【００１２】
【特許文献１】特開２０００−３５０９８９号公報
【発明の概要】
【発明が解決しようとする課題】
【００１３】
ここで、末端の透析液（即ち、透析装置へ供給され、ダイアライザーを通じて、患者の血液の浄化を行うための透析液）における溶存水素濃度は、上述の電気分解の結果に依存し、電気分解される水の量は水質によって異なるため、同じ電流を印加した場合であっても、必ずしも所望の溶存水素濃度を得られないという問題があった。
【００１４】
また、例えば、透析液を供給する際に、物理的な衝撃等に起因して透析液中の溶存水素濃度が減少してしまい、溶存水素濃度を一定の高濃度に保つことが困難になるという問題があった。
【００１５】
従って、末端の透析液においては、必ずしも、所望の溶存水素濃度が得られていないという問題があった。
【００１６】
そこで、本発明は、上述の問題に鑑みてなされたものであり、末端の透析液において、所望の溶存水素濃度を得ることができる透析液の製造装置を提供することを目的とする。
【課題を解決するための手段】
【００１７】
上記目的を達成するために、本発明の透析液の製造装置は、水に水素を溶解させる水素溶解装置と、水素溶解装置に接続され、水素が溶解した水に対して逆浸透膜処理を行う逆浸透膜処理装置と、逆浸透膜処理装置に接続され、逆浸透膜処理装置により処理された逆浸透水と透析原液とを混合した透析液を調製する透析液調製装置と、透析液調製装置に接続されるとともに、透析液調製装置より透析液が供給される透析装置と、透析装置に設けられ、透析液の脱気処理を行う脱気装置と、透析装置に設けられ、脱気処理後の透析液の溶存水素濃度を検知するセンサーと、センサー及び脱気装置に接続され、センサーにより検知された溶存水素濃度に基づいて、脱気処理を行う際の脱気圧を制御する制御装置とを備え、透析装置は、血液浄化装置と、透析液調製装置及び血液浄化装置に接続され、透析液調製装置において調製された透析液を血液浄化装置に導入するための透析液導入路と
を備え、脱気装置は、透析液導入路に設けられ、センサーは、透析液導入路において、脱気装置と血液浄化装置との間に設けられていることを特徴とする。
【００１８】
同構成によれば、電気分解される水の水質や透析液を供給する際の物理的な衝撃等に起因して透析液中の溶存水素濃度が減少した場合であっても、末端の透析液において、所望の溶存水素濃度（即ち、個別の患者に対応した溶存水素濃度）を得ることができる。
【００１９】
また、患者の血液の浄化を行う直前の透析液の溶存水素濃度を検知する構成としているため、精度よく、末端の透析液の溶存水素濃度を調整することが可能になる。
【発明の効果】
【００２０】
本発明によれば、末端の透析液において、所望の溶存水素濃度を得ることができる。
【図面の簡単な説明】
【００２１】
【図１】本発明の第１の実施形態に係る透析液の製造装置の構成を示す概念図である。
【図２】本発明の第１の実施形態に係る透析液の製造装置の電解水生成装置における電解槽を示す図である。
【図３】本発明の第１の実施形態に係る透析装置を示す図である。
【図４】本発明の第１の実施形態に係る制御装置による溶存水素濃度の調整方法を説明するためのフローチャートである。
【図５】本発明の第２の実施形態に係る透析装置を示す図である。
【図６】本発明の第２の実施形態に係る制御装置による溶存水素濃度の調整方法を説明するためのフローチャートである。
【図７】本発明の第１の実施形態に係る透析装置の変形例を示す図である。
【図８】本発明の第１の実施形態に係る透析装置の変形例を示す図である。
【図９】本発明の変形例に係る透析液の製造装置の構成を示す概念図である。
【図１０】従来の透析液の製造装置の構成を示す概念図である。
【発明を実施するための形態】
【００２２】
（第１の実施形態）
図１は、本発明の第１の実施形態に係る透析液の製造装置の構成を示す概念図である。また、図２は、本発明の第１の実施形態に係る透析液の製造装置の電解水生成装置における電解槽を示す図である。
【００２３】
この透析液調製用水の製造装置１は、プレフィルター３と、プレフィルター３に接続された軟水化装置４と、軟水化装置４に接続されたカーボンフィルター（活性炭処理装置）５と、カーボンフィルター５に接続された電解水生成装置７と、電解水生成装置７に接続された電解水タンク８と、電解水タンク８に接続された逆浸透膜処理装置９と、逆浸透膜処理装置９に接続されたＵＦ（Ｕｌｔｒａ  Ｆｉｌｔｅｒ）モジュール３０とを備えている。
【００２４】
プレフィルター３は、原水２（硬度成分であるカルシウムイオン、マグネシウムイオンなどの溶解固形物を含む硬水）から不純物（例えば、鉄錆や砂粒子）を除去するためのものである。
【００２５】
軟水化装置４は、原水２から、イオン交換によって硬度成分を置換反応により除去し、軟水とする処理を行うためのものである。なお、本実施形態においては、原水２として、水道水や井戸水、地下水などを用いることができる。
【００２６】
カーボンフィルター５は、軟水化装置４により処理された原水に対して、多孔質の吸着物質である活性炭を用いて、原水中に含まれる残留塩素、クロラミン、有機物などを物理的な吸着作用により除去する処理を行うためのものである。
【００２７】
なお、上述の軟水化装置４、及びカーボンフィルター５としては、公知のものを使用することができる。
【００２８】
電解水生成装置７は、水素溶解装置として機能するものであり、カーボンフィルター５により処理された原水２に対して、電気分解処理を行うことにより、透析液調製用水として使用される水素が溶存した水（溶存水素水）を生成するためのものである。
【００２９】
また、本実施形態の電解水生成装置７は、図２に示す、固体高分子膜（固体高分子電解質膜）１０を有する電解槽２０を備えている点に特徴がある。
【００３０】
この電解槽２０は、図２に示すように、上述の固体高分子膜１０と、固体高分子膜１０を介して、互いに対向して配置され、電解槽２０への給電を行う給電体である陽極１１、及び陰極１２と、固体高分子膜１０と陽極１１との間、及び固体高分子膜１０と陰極１２との間に配置された誘電体層１３とを備えている。
【００３１】
なお、図２に示すように、陽極１１と陰極１２は、電気的に接続されており、これらの固体高分子膜１０、陽極１１、陰極１２、及び誘電体層１３は、電解槽本体１５の内部に収容されている。
【００３２】
また、図２に示すように、電解槽本体１５には、電気分解が行われる原水２を電解槽本体１５内に導入するための導入路１６が形成されている。
【００３３】
陽極１１、及び陰極１２の材料としては、例えば、チタンや白金などが挙げられる。
【００３４】
また、誘電体層１３を形成する材料としては、例えば、チタンや白金などが挙げられる。
【００３５】
また、固体高分子膜１０は、電気分解により、陽極１１側で発生したオキソニウムイオン（Ｈ３Ｏ＋）を陰極１２側へと移動させる役割を有するものである。
【００３６】
この固体高分子膜１０としては、例えば、スルホン酸基を有するフッ素系の樹脂材料により形成されたものを好適に使用することができる。より具体的には、ナフィオン（デュポン社製）、Ｆｌｅｍｉｏｎ（旭硝子社製）、Ａｃｉｐｌｅｘ（旭硝子社製）などの市販品を、本発明における固体高分子膜１０として好適に用いることができる。
【００３７】
そして、このような固体高分子膜１０を用いた電解水生成装置７における電気分解では、陽極１１側、陰極１２側でそれぞれ次のような反応が起こる。
陽極側：６Ｈ２Ｏ→４Ｈ３Ｏ＋＋Ｏ２＋４ｅ−
陰極側：４Ｈ３Ｏ＋＋４ｅ−→２Ｈ２＋４Ｈ２Ｏ
【００３８】
即ち、本実施形態においては、陰極１２における水素の生成原料としてオキソニウムイオン（Ｈ３Ｏ＋）が使用され、電解水生成装置７における電気分解処理の際に、ＯＨ−イオンが発生しない。従って、溶存水素の量を増やすために、高い電流値で電気分解処理を行った場合であっても、処理水のｐＨが変化しない。
【００３９】
従って、ｐＨの上限値に起因して、処理水の溶存水素濃度が抑制されてしまうという不都合を生じることがなくなり、所望の高い電流値で電気分解処理を行い、処理水の溶存水素濃度を向上させることが可能になる。その結果、必要な溶存水素濃度を有する処理水を得ることが可能になる。
【００４０】
また、固体高分子膜１０を用いて水の電気分解処理を行い、電気分解処理の際に、陰極側でＯＨ−イオンが生成しないため、逆浸透水の電気伝導度を使用して、逆浸透膜処理装置９における不純物の除去能力の低下（逆浸透膜処理装置９の劣化）を正確に評価することが可能になる。
【００４１】
そして、上述の電気分解処理により生成した処理水（溶存水素水）１７は、電解槽本体１５の陰極側に形成された送水路１８により、電解水生成装置７に接続された電解水タンク８へと送られる。なお、電気分解処理により、陽極側で発生した溶存酸素水１９は、電解槽本体１５の陽極側に形成された排水路２１により、外部へと排出される。
【００４２】
電解水タンク８は、電解水生成装置７により生成した溶存水素水を貯蔵するためのものである。
【００４３】
逆浸透膜処理装置９は、半透膜を境界にして、濃度の異なる溶液がある場合、低濃度の溶液から高濃度の溶液へ水が移動する現象（浸透）に対し、高濃度の溶液側に圧力を加えることにより、高濃度側の溶液から低濃度側の溶液へ水を移動させ、低濃度側に浸透した水を得る処理（逆浸透膜処理）を行うためのものである。
【００４４】
そして、この逆浸透膜処理装置９により、上述の一連の処理で得られた原水から、微量金属類などの不純物をさらに除去することができるため、ＩＳＯ１３９５９（透析用水基準）に規定される水質基準を満たす水（逆浸透水）を得ることが可能になる。
【００４５】
この逆浸透膜処理装置９は、図１に示すように、電解水生成装置７により生成した溶存水素水に対して、上述の逆浸透膜処理を行う逆浸透膜３６と、逆浸透膜処理がなされた逆浸透水を貯蔵するための逆浸透水タンク３７とを備えている。
【００４６】
ＵＦモジュール３０は、逆浸透水２５中に含まれる菌や微生物を除去する処理を施すためのものである。
【００４７】
そして、図１に示すように、ＵＦモジュール３０には、透析液調製装置２６が接続されており、ＵＦモジュール３０による処理が行われた逆浸透水２５は、透析液調製装置２６へと供給される。
【００４８】
透析液調製装置２６では、供給された逆浸透水２５と透析原液とを混合した透析液２７が調製されるとともに、この透析液２７が、透析液調製装置２６に接続された透析装置４０へ供給され、患者５０の血液の浄化が行われる。即ち、透析液調製装置２６は、調製した透析液２７を、透析装置４０へ供給する透析液供給装置としても機能するものである。
【００４９】
図３は、本発明の第１の実施形態に係る透析装置を示す図である。図３に示すように、透析装置４０は、動脈側血液回路４４及び静脈側血液回路４５からなる血液回路４９と、動脈側血液回路４４及び静脈側血液回路４５に接続され、血液回路４９を流れる血液を浄化する血液浄化装置であるダイアライザー４３とを備えている。
【００５０】
また、透析装置４０は、透析液調製装置２６及びダイアライザー４３に接続され、透析液調製装置２６において調製された透析液２７をダイアライザー４３に導入するための透析液導入路４１と、ダイアライザー４３に接続され、ダイアライザー４３に導入された透析液２７を血液中の老廃物とともに排出するための透析液排出路４２とを備えている。
【００５１】
更に、透析装置４０は、動脈側血液回路４４に設けられた血液循環用のポンプ４６、及び気泡除去装置４７と、静脈側血液回路４５に設けられた気泡除去装置４８とを備えている。
【００５２】
なお、ダイアライザー４３は、図３に示すコネクタ（カプラ）５１〜５４を介して、透析液導入路４１、透析液排出路４２、動脈側血液回路４４、及び静脈側血液回路４５と接続されている。そして、ダイアライザー４３は、これらのコネクタ５１〜５４に対して着脱可能に装着される構成となっている。
【００５３】
そして、本実施形態においては、動脈側穿刺針及び静脈側穿刺針（いずれも不図示）を患者５０に穿刺した状態で、ポンプ４６を駆動させると、患者５０の血液は、気泡除去装置４７により除泡がなされるとともに、動脈側血液回路４４を通ってダイアライザー４３に送られ、このダイアライザー４３によって、血液の浄化が行われる。
【００５４】
次いで、ダイアライザー４３によって浄化が行われた血液は、気泡除去装置４８により除泡がなされるとともに、静脈側血液回路４５を通って患者５０の体内に戻る構成となっている。
【００５５】
ダイアライザー４３の内部には、所定の内径（例えば、２００μｍ）を有する複数の中空糸が収容されており、この中空糸の内部が血液の流路になるとともに、中空糸の外周面とダイアライザー４３の筐体部の内周面との間が、透析液２７の流路となっている。
【００５６】
また、中空糸には、その外周面と内周面とを貫通した微少な孔が多数形成されて、中空糸の壁が半透膜となっており、この半透膜を介して、血液中の不純物等が透析液２７内に透過するよう構成されている。
【００５７】
また、透析液２７中に溶存ガスが多量に存在すると、ダイアライザー４３に気泡が溜まってしまい、上述の中空糸に形成された孔が気泡により塞がり、結果として、ダイアライザー４３による血液の浄化効率が低下するため、このような不都合の発生を回避すべく、本実施形態においては、図３に示すように、透析装置４０において脱気装置５５が設けられている。
【００５８】
この脱気装置５５は、透析液２７をダイアライザー４３に通過させる前に、透析液２７中の余分な溶存ガスを取り除くための脱気処理を行うものであり、図３に示すように、透析装置４０における透析液導入路４１に設けられている。
【００５９】
また、脱気装置５５は、図１に示すように、膜モジュール５６と、当該膜モジュール５６に接続されたポンプ５７とを備えている。
【００６０】
膜モジュール５６は、透析液２７中の溶存ガスを分離する機能を有しており、内部に、親水性の膜から構成され、孔が形成された多数の中空糸を有している。従って、中空糸の内部に供給された透析液２７は、中空糸の内部から中空糸の壁を通過して、中空糸の外部へと移動することが可能となるが、透析液２７に含まれる気体は中空糸の壁を通過することができず、膜モジュール５６に接続されたポンプ５７により引き抜かれて、中空糸の内部から膜モジュール５６の外部へと排出され、透析液２７中の余分な溶存ガスが取り除かれる構成となっている。
【００６１】
ここで、上述のごとく、上記従来の透析液の製造装置においては、末端の透析液（透析装置へ供給され、ダイアライザーを通じて、患者の血液の浄化を行うために透析液）において、必ずしも、所望の溶存水素濃度が得られていないという問題があった。
【００６２】
そこで、本実施形態においては、センサーを使用したフィードバック制御を使用して、末端の透析液２７において不足した溶存水素を補うように、脱気装置５５による脱気を行う際の脱気圧を制御することにより、末端の透析液２７中の溶存水素濃度を所望の濃度に保つ構成としている。
【００６３】
より具体的には、図１に示すように、本実施形態における透析液の製造装置１は、透析液２７の溶存水素濃度を検知するためのセンサー６０と、センサー６０により検知された溶存水素濃度に基づいて、脱気装置５５による脱気を行う際の脱気圧を制御する制御装置３２を備えている。
【００６４】
なお、この制御装置３２は、透析液２７における溶存水素濃度を調整するための溶存水素濃度調整装置として機能するものである。
【００６５】
センサー６０は、脱気処理後の透析液２７の溶存水素濃度を検知するものであり、図３に示すように、透析装置４０における透析液導入路４１であって、上述の脱気装置５５の下流側（即ち、透析液導入路４１において、脱気装置５５とダイアライザー４３との間）に設けられている。このセンサー６０は、溶存水素濃度を検知できるものであれば特に限定されず、例えば、隔膜型ポーラログラフ方式を利用した溶存水素電極（東亜ディーケーケー社製、商品名：溶存水素濃度計ＤＨ−３５Ａ）を使用することができる。
【００６６】
また、制御装置３２は、センサー６０に接続され、脱気装置５５による脱気を行う際の脱気圧を決定する脱気圧決定手段３３と、脱気圧決定手段３３、及び脱気装置５５のポンプ５７に接続され、ポンプ５７におけるモータの回転数を制御する回転数制御手段３４と、脱気圧決定手段３３に接続され、溶存水素濃度の目標値（例えば、個別の患者５０に対応した溶存水素濃度の目標値）のデータを記憶する記憶手段３５とを備えている。
【００６７】
次に、センサー６０、及び制御装置３２による溶存水素濃度の調整方法について説明する。
【００６８】
図４は、本発明の第１の実施形態に係る制御装置による溶存水素濃度の調整方法を説明するためのフローチャートである。
【００６９】
本実施形態においては、透析液２７における溶存水素濃度の測定は、患者５０に対して透析を行う前に行われる。
【００７０】
より具体的には、まず、センサー６０が、末端の透析液（透析液調製装置２６から透析装置４０へ供給された透析液であって、患者５０に対して透析を行う際に、ダイアライザー４３を通じて、患者５０の血液の浄化を行うための透析液）２７の溶存水素濃度を検知する（ステップＳ１）。
【００７１】
次に、センサー６０により検知された溶存水素濃度のデータが、脱気圧決定手段３３に送信される（ステップＳ２）。
【００７２】
次に、脱気圧決定手段３３が、記憶手段３５に記憶された溶存水素濃度の目標値に関するデータを読み出す（ステップＳ３）。
【００７３】
次に、脱気圧決定手段３３は、センサー６０により検知された溶存水素濃度の値Ｃ１と、記憶手段３５から読み出した溶存水素濃度の目標値Ｃとを比較する。即ち、脱気圧決定手段３３は、センサー６０により検知された溶存水素濃度の値Ｃ１が記憶手段３５から読み出した溶存水素濃度の目標値Ｃよりも小さい（即ち、Ｃ１＜Ｃ）か否かを判断する（ステップＳ４）。
【００７４】
そして、脱気圧決定手段３３は、センサー６０により検知された溶存水素濃度の値Ｃ１が記憶手段３５から読み出した溶存水素濃度の目標値Ｃよりも小さい（即ち、Ｃ１＜Ｃ）場合、溶存水素濃度が不足（減少）していると判断し、末端の透析液２７の溶存水素濃度が目標値Ｃとなるように、脱気装置５５による脱気処理の脱気圧を決定する（ステップＳ５）。
【００７５】
そして、脱気圧決定手段３３は、決定した脱気圧に関する信号を記憶手段３５に送信し、記憶手段３５が、決定された脱気圧に関するデータを記憶する（ステップＳ６）。
【００７６】
次に、患者５０に対する透析を行う際に、脱気圧決定手段３３は、記憶手段３５に記憶された、上述の決定された脱気圧に関するデータを読み出す（ステップＳ７）。
【００７７】
次に、脱気圧決定手段３３は、ポンプ５７におけるモータの回転数を制御する回転数制御手段３４へ、決定した脱気圧に関する信号を送信する（ステップＳ８）。
【００７８】
次に、回転数制御手段３４は、入力された脱気圧に関する信号に基づく（即ち、決定された脱気圧に対応する）回転数でポンプ５７におけるモータの回転数を制御し、脱気装置５５において、透析液２７の溶存水素濃度が目標値Ｃとなるように、脱気処理が行われる（ステップＳ９）。
【００７９】
即ち、脱気処理の脱気圧が低くなるようにポンプ５７におけるモータの回転数を制御すると、脱気装置５５により脱気される水素の量が減少するため、末端の透析液２７における溶存水素濃度の減少を抑制することが可能になり、結果として、末端の透析液２７において、溶存水素濃度が増加して、所望の溶存水素濃度を得ることが可能になる。
【００８０】
一方、脱気圧決定手段３３は、センサー６０により検知された溶存水素濃度の値Ｃ１が記憶手段３５から読み出した溶存水素濃度の目標値Ｃ以上（即ち、Ｃ１≧Ｃ）の場合、溶存水素濃度が不足していないと判断する。この場合、上述したステップＳ５〜ステップＳ９の処理は行われない。
【００８１】
以上のように、本実施形態においては、透析液２７の溶存水素濃度を検知するためのセンサー６０と、センサー６０により検知された溶存水素濃度に基づいて、脱気装置５５による水素の脱気処理（即ち、水素を含む溶存ガスの脱気処理）を行う際の脱気圧を制御する制御装置３２を備えている。
【００８２】
従って、電気分解される水の水質や透析液を供給する際の物理的な衝撃等に起因して透析液中の溶存水素濃度が減少した場合であっても、末端の透析液２７において、所望の溶存水素濃度（即ち、個別の患者５０に対応した溶存水素濃度）を得ることができる。
【００８３】
また、患者５０の血液の浄化を行う直前の透析液２７の溶存水素濃度を検知する構成としているため、精度よく、末端の透析液２７の溶存水素濃度を調整することが可能になる。
【００８４】
（第２の実施形態）
次に、本発明の第２の実施形態について説明する。図５は、本発明の第２の実施形態に係る透析装置を示す図である。なお、上記第１の実施形態と同様の構成部分については同一の符号を付してその説明を省略する。また、透析液の製造装置の全体構成については、上述の第１の実施形態の場合と同様であるため、ここでは詳しい説明を省略する。
【００８５】
本実施形態においては、図５に示すように、上述の透析液導入路４１から分岐して透析液分岐路７１が設けられるとともに、上述の第１の実施形態におけるセンサー６０が、透析液分岐路７１に設けられている点に特徴がある。
【００８６】
そして、本実施形態においても、上述の第１の実施形態の場合と同様に、センサー６０を使用したフィードバック制御を使用して、末端の透析液２７において不足した溶存水素を補うように、脱気装置５５による脱気を行う際の脱気圧を制御することにより、末端の透析液２７中の溶存水素濃度を所望の濃度に保つ構成としている。
【００８７】
次に、センサー６０、及び制御装置３２による溶存水素濃度の調整方法について説明する。
【００８８】
図６は、本発明の第２の実施形態に係る制御装置による溶存水素濃度の調整方法を説明するためのフローチャートである。
【００８９】
本実施形態においては、上述の第１の実施形態の場合と異なり、透析液２７における溶存水素濃度の測定は、患者５０に対して透析を行う際に行われる。
【００９０】
より具体的には、まず、センサー６０が、末端の透析液（透析液調製装置２６から透析装置４０へ供給された透析液であって、患者５０に対して透析を行う際に、ダイアライザー４３を通じて、患者５０の血液の浄化を行うために透析液）２７の溶存水素濃度を検知する（ステップＳ１１）。
【００９１】
なお、第１の実施形態の場合と異なり、患者５０に対して透析を行う際に、透析液２７における溶存水素濃度の測定を行うため、衛生管理の観点から、溶存水素濃度の測定に使用された透析液２７は、図５に示すように、透析液分岐路７１に接続された透析液排出路７２を介して、外部へと排出される。
【００９２】
次に、センサー６０により検知された溶存水素濃度のデータが、脱気圧決定手段３３に送信される（ステップＳ１２）。
【００９３】
次に、脱気圧決定手段３３が、記憶手段３５に記憶された溶存水素濃度の目標値に関するデータを読み出す（ステップＳ１３）。
【００９４】
次に、脱気圧決定手段３３は、センサー６０により検知された溶存水素濃度の値Ｃ１と、記憶手段３５から読み出した溶存水素濃度の目標値Ｃとを比較する。即ち、脱気圧決定手段３３は、センサー６０により検知された溶存水素濃度の値Ｃ１が記憶手段３５から読み出した溶存水素濃度の目標値Ｃよりも小さい（即ち、Ｃ１＜Ｃ）か否かを判断する（ステップＳ１４）。
【００９５】
そして、脱気圧決定手段３３は、センサー６０により検知された溶存水素濃度の値Ｃ１が記憶手段３５から読み出した溶存水素濃度の目標値Ｃよりも小さい（即ち、Ｃ１＜Ｃ）場合、溶存水素濃度が不足（減少）していると判断し、末端の透析液２７の溶存水素濃度が目標値Ｃとなるように、脱気装置５５による脱気処理の脱気圧を決定する（ステップＳ１５）。
【００９６】
次に、脱気圧決定手段３３は、ポンプ５７におけるモータの回転数を制御する回転数制御手段３４へ、決定した脱気圧に関する信号を送信する（ステップＳ１６）。
【００９７】
次に、回転数制御手段３４は、入力された脱気圧に関する信号に基づく（即ち、決定された脱気圧に対応する）回転数でポンプ５７におけるモータの回転数を制御し、脱気装置５５において、透析液２７の溶存水素濃度が目標値Ｃとなるように、脱気処理が行われる（ステップＳ１７）。
【００９８】
一方、脱気圧決定手段３３は、センサー６０により検知された溶存水素濃度の値Ｃ１が記憶手段３５から読み出した溶存水素濃度の目標値Ｃ以上（即ち、Ｃ１≧Ｃ）の場合、溶存水素濃度が不足していないと判断する。この場合、上述したステップＳ１５〜ステップＳ１７の処理は行われない。
【００９９】
以上のように、本実施形態においては、透析液２７の溶存水素濃度を検知するためのセンサー６０と、センサー６０により検知された溶存水素濃度に基づいて、脱気装置５５による水素の脱気処理を行う際の脱気圧を制御する制御装置３２を備えている。
【０１００】
従って、上述の第１の実施形態の場合と同様に、電気分解される水の水質や透析液を供給する際の物理的な衝撃等に起因して透析液中の溶存水素濃度が減少した場合であっても、末端の透析液２７において、所望の溶存水素濃度（即ち、個別の患者５０に対応した溶存水素濃度）を得ることができる。
【０１０１】
また、患者５０の血液の浄化を行う直前の透析液２７の溶存水素濃度を検知する構成としているため、精度よく、末端の透析液２７の溶存水素濃度を調整することが可能になる。
【０１０２】
更に、上記第１の実施形態とは異なり、透析液２７における溶存水素濃度の調整を、患者５０に対する透析と同時に行う（即ち、リアルタイムで行う）ことができる。
【０１０３】
なお、上記実施形態は以下のように変更しても良い。
【０１０４】
上記第１の実施形態においては、透析装置４０における透析液導入路４１にセンサー６０を設ける構成としたが、患者５０に対して透析を行う前に、透析液２７における溶存水素濃度の測定をすることができる位置ならば、どのような位置にセンサー６０を設けてもよい。
【０１０５】
より具体的には、例えば、図７に示すように、透析装置４０における透析液排出路４２にセンサー６０を設ける構成としてもよい。また、患者５０に対して透析を行う前においては、ダイアライザー４３は不要であり、上述のごとく、ダイアライザー４３は、コネクタ５１〜５４に対して着脱可能に装着されるため、図８に示すように、このダイアライザー４３を脱離した後、当該ダイアライザー４３の代わりに、コネクタ５１，５２を介して、センサー６０を透析液導入路４１及び透析液排出路４２に接続する（即ち、センサー６０を、透析液導入路４１と透析液排出路４２の間に設ける）構成としてもよい。
【０１０６】
また、上記実施形態においては、水素溶解装置として電解水生成装置７を使用して、水素を溶解させる構成としたが、カーボンフィルター５により処理された原水２に対して、水素を溶解させることができるものであれば、どのような構成であってもよい。
【０１０７】
例えば、カーボンフィルター５により処理された原水２に、水素ガスを接触させることにより、水素を溶解させる構成としてもよい。
【０１０８】
より具体的には、水素溶解装置として、水素ガスが供給されるスリーブと、スリーブの内部に配置され、複数の孔が形成された中空糸とを備える膜モジュールを使用して、中空糸に形成された孔を介して、カーボンフィルター５により処理された原水２に水素ガスを接触させる方法を採用することができる。
【０１０９】
また、水素ガスが溶解した原水２を加圧して、原水２に含まれる水素ガスの濃度を高めることにより、カーボンフィルター５により処理された原水２中の溶存水素濃度を所望の高濃度に保つ構成としてもよい。
【０１１０】
より具体的には、図９に示すように、透析液の製造装置８０は、図１に示す電解水生成装置７の代わりに、カーボンフィルター５に接続され、原水２に水素ガスを接触させる膜モジュール８１と、膜モジュール８１に接続され、水素ガスを加圧することにより、原水２に水素を溶解させる加圧タンク８２とを有する水素ガス加圧装置８５を備えている。
【０１１１】
また、この水素ガス加圧装置８５は、加圧タンク８２に接続された圧力調整バルブ８４を備えており、この圧力調整バルブ８４を制御することにより、加圧タンク８２により水素を加圧する際の圧力を制御する構成となっている。
【０１１２】
また、本変形例においては、上述の第２の実施形態の場合と同様に、透析液導入路４１から分岐して透析液分岐路７１を設けるとともに、センサー６０を、透析液分岐路７１に設ける構成としてもよい。また、上述の図７、図８において説明した構成と同様に、透析装置４０における透析液排出路４２にセンサー６０を設ける構成としてもよく、ダイアライザー４３の代わりに、コネクタ５１，５２を介して、センサー６０を透析液導入路４１及び透析液排出路４２に接続する構成としてもよい。
【０１１３】
更に、固体高分子膜の代わりに、イオン交換膜を備えた電解水生成装置を使用して、電気分解を行うことにより、カーボンフィルター５により処理された原水２に対して、水素を溶解させる構成としてもよい。
【０１１４】
また、上記実施形態においては、１つの透析液調製装置２６に対して、１つの透析装置４０を接続する構成としたが、１つの透析液調製装置２６に対して、複数の透析装置４０を接続する構成としてもよい。
【０１１５】
この場合、各透析装置４０に、上述の脱気装置５５及びセンサー６０を設けるとともに、脱気装置５５及びセンサー６０に接続された制御装置３２を設け、各透析装置４０において、センサー６０により検知された溶存水素濃度に基づいて、制御装置３２により、脱気装置５５による水素の脱気処理を制御する。
【０１１６】
このような構成により、１つの透析液調製装置２６により、各透析装置４０における末端の透析液２７において、所望の溶存水素濃度を得ることができる。
【産業上の利用可能性】
【０１１７】
以上説明したように、本発明は、水素が溶存する透析液の製造装置に、特に、有用である。
【符号の説明】
【０１１８】
１    透析液の製造装置
２    原水
３    プレフィルター
４    軟水化装置
５    カーボンフィルター
７    電解水生成装置（水素溶解装置）
８    電解水タンク
９    逆浸透膜処理装置
１０    固体高分子膜
１１    陽極
１２    陰極
１３    誘電体層
１５    電解槽本体
１６    導入路
１７    処理水
１８    送水路
１９    溶存酸素水
２０    電解槽
２１    排水路
２６    透析液調製装置
２７    透析液
３２    制御装置
３３    脱気圧決定手段
３４    回転数制御手段
３５    記憶手段
３６    逆浸透膜
３７    逆浸透水タンク
４０    透析装置
４１    透析液導入路
４３    ダイアライザー（血液浄化装置）
４４    動脈側血液回路
４５    静脈側血液回路
５０    患者
５５    脱気装置
５６    膜モジュール
５７    ポンプ
６０    センサー
７１    透析液分岐路
７２    透析液排出路
８０    透析液の製造装置
８１    膜モジュール
８２    加圧タンク
８４    圧力調整バルブ
８５    水素ガス加圧装置
【図１】
0005840248.tif 000002
【図２】
0005840248.tif 000003
【図３】
0005840248.tif 000004
【図４】
0005840248.tif 000005
【図５】
0005840248.tif 000006
【図６】
0005840248.tif 000007
【図７】
0005840248.tif 000008
【図８】
0005840248.tif 000009
【図９】
0005840248.tif 000010
【図１０】
0005840248.tif 000011